(57)【特許請求の範囲】
【請求項１】
少なくとも一つのテープで下まつげを目の下側に固定する段階と，
少なくとも一つのテープで上まつげの全部を目蓋側につける段階と，
上まつげの基部の位置を基準として，目蓋の端部の粘膜側から出たベース層をなす上まつげを前記テープから抜き出して立てる段階と，
前記立てられたベース層をなすそれぞれの上まつげに人工まつげをつける段階と，
前記人工まつげをつける処理が完了したベース層をなす上まつげの上に少なくとも一つのテープを載せて区分する段階と，
前記ベース層以外の上まつげのうち，上まつげの基部の位置を基準として，ベース層の真上に２層目をなす上まつげを前記テープから抜き出して人工まつげをつける段階と，を含み，
前記上まつげに人工まつげをつけるとき，上まつげの属する領域により，異なる長さの人工まつげをつけることを特徴とするまつげ矯正方法。
【請求項２】
前記ベース層以外の上まつげのうち，上まつげの基部の位置を基準として，前記２層目の真上に３層目をなす上まつげを前記テープから抜き出して人工まつげをつける段階を含む請求項１記載のまつげ矯正方法。
【請求項３】
前記人工まつげをつけるとき，上まつげの基部から上部まで全部または少なくとも６０％以上が人工まつげと当接するように接着することを特徴とする請求項１記載のまつげ矯正方法。
【請求項４】
前記人工まつげをつけるとき，拡開手段を用いて，接着対象である上まつげと隣接した上まつげとの間を広げた後，人工まつげを接着させることを特徴とする請求項１記載のまつげ矯正方法。
【発明の詳細な説明】
【技術分野】
【０００１】
本発明は，まつげ矯正方法に関し，より詳しくは，まつげが損傷しまたは抜ける現象を防止し，美容効果を長時間維持可能であり，施術にかかる時間を短縮可能なまつげ矯正方法に関する。
【背景技術】
【０００２】
美しさを追求する女性の本能は，昔から今に至るまでのことであるが，最近になって，さらに美しく見せるための体形管理や美容についての感心がさらに高くなる傾向にある。
【０００３】
特に，美容方法のうち，人工まつげを用いた美容術は，単調なまつげに人工まつげをつけて長くすることにより，まつげが長く見えるのみならず，毛が多く見える効果があり，鮮明かつ深さのある目つきを作り出すことができるので，広く愛用されている。
【０００４】
人工まつげを用いてまつげを延長するときは，一つのまつげに接着剤を塗った人工まつげをつけ，施術者がこのような処理を繰り返し，全体的にまつげを延長する。
【０００５】
ところが，一般に，東洋人のまつげは，直毛であるため，目を閉じると，まつげが下に垂れるので，人工まつげをつけるとき，長くて広い面積が当たるようにつけ難く，人工まつげがまつげの基部の一部にのみ接着され，上部に行くほど，人工まつげとまつげが互いに広げられてしまう。若し，当たる面積を大きくしようとすれば，ピンセット等で広げられた部分を一々取って押さなければならないため，処理，処置ないし作業が複雑であり煩雑となるので，施術時間が長くなるという問題点があった。
【０００６】
また，このように人工まつげとまつげが接着する部分が小さくなり，互いに広げられると，施術後にもつれが多く，綺麗ではなく，より深刻なことは，牽引性脱毛により，まつげが抜け，これでは，抜けたままとなってしまう。
【０００７】
また，まつげが不規則に間歇的に抜けると，まるで歯の抜けたようになり，美容効果に劣り，再度施術を受けなければならないという問題があった。
【０００８】
したがって，まつげが損傷しまたは抜けてしまう現象を防止し，美容効果を長時間維持可能であり，施術にかかる時間を短縮可能なまつげ矯正方法の必要性が強調されている。
【発明の概要】
【発明が解決しようとする課題】
【０００９】
本発明は，上記問題点に鑑みなされたものであり，その目的は，まつげが損傷しまたは抜ける現象を防止し，美容効果を既存よりも二倍以上に長時間維持することができるまつげ矯正方法を提供することにある。
【００１０】
また，本発明の他の目的は，施術後，異物感がなく，延長されたまつげがもつれなく，着用感と美容効果を向上させることができるまつげ矯正方法を提供することにある。
【００１１】
本発明のさらに他の目的は，被施術者のまつげを垂直に立てた状態で人工まつげを接着し，人工まつげとまつげが接着される長さを大きくするのみならず，施術を容易に行い，施術時間を減らすことができるまつげ矯正方法を提供することにある。
【００１２】
本発明のさらに他の目的は，まつげを層別に分けて処理し，領域により異なる長さの人工まつげをつけることにより，被施術者のまつげに適合したオーダーメイドの施術が可能であり，多様な美容効果を作り出すことができるまつげ矯正方法を提供することにある。
【００１３】
また，本発明のまた，さらに他の目的は，人工まつげの接着の際に，拡開手段を用いることにより，それぞれのまつげの接着を容易にし，施術時間を減らすことができるまつげ矯正方法を提供することにある。
【課題を解決するための手段】
【００１４】
前記目的を達成するために，本発明の一態様によるまつげ矯正方法は，少なくとも一つのテープで下まつげを目の下側に固定してつける段階と，少なくとも一つのテープで上まつげの全部を目蓋側につける段階と，上まつげの基部の位置を基準として，目蓋の端部の粘膜側から出たベース層をなす上まつげを前記テープから抜き出して立てる段階と，前記立てられたベース層をなすそれぞれの上まつげに人工まつげをつける段階と，前記人工まつげをつける処理が完了したベース層をなす上まつげの上に少なくとも一つのテープを載せて区分する段階と，前記ベース層以外の上まつげのうち，上まつげの基部の位置を基準として，ベース層の真上に２層目をなす上まつげを前記テープから抜き出して人工まつげをつける段階と，を含み，前記上まつげに人工まつげをつけるとき，上まつげの属する領域により，異なる長さの人工まつげをつけることを特徴とする。
【００１７】
前記まつげ矯正方法において，前記ベース層以外の上まつげに人工まつげをつける段階は，さらに，前記ベース層以外の上まつげのうち，上まつげの基部の位置を基準として，前記２層目の真上に３層目をなす上まつげを前記テープから抜き出して人工まつげをつける段階を含む。
【００１９】
前記まつげ矯正方法において，前記人工まつげをつけるとき，上まつげの基部から上部まで全部または少なくとも６０％以上が人工まつげと当接するように接着することを特徴とする。
【００２０】
前記まつげ矯正方法において，前記人工まつげをつけるとき，拡開手段を用いて，接着対象である上まつげと隣接した上まつげとの間を広げた後，人工まつげを接着させることを特徴とする。
【発明の効果】
【００２１】
本発明によると，まつげが損傷しまたは抜ける現象を防止し，美容効果を既存よりも二倍以上に長時間維持することができるまつげ矯正方法を提供することができる。
【００２２】
また，施術後，異物感がなく，延長されたまつげがもつれなく，着用感と美容効果を向上させることができるまつげ矯正方法を提供することができる。
【００２３】
また，被施術者のまつげを垂直に立てた状態で人工まつげを接着し，人工まつげとまつげが接着される長さを大きくするのみならず，施術を容易に行い，施術時間を減らすことができる。
【００２４】
また，まつげを層別に分けて処理し，領域により異なる長さの人工まつげをつけることにより，被施術者のまつげに適合したオーダメイドの施術が可能であり，多様な美容効果を作り出すことができるまつげ矯正方法を提供することができる。
【００２５】
さらに，人工まつげの接着の際に，拡開手段を用いることにより，それぞれのまつげの接着を容易にし，施術時間を減らすことができる。
【図面の簡単な説明】
【００２６】
【図１】施術前の被施術者が目を閉じた状態における上まつげと下まつげを示す平面図，
【図２】施術前の被施術者が目を閉じた状態における上まつげと下まつげを示す側面図，
【図３】人工まつげと上まつげが基部のみが接着されて広げられる場合を示す説明図，
【図４】テープで被施術者の下まつげを目の下側につけた状態を示す平面図，
【図５】テープで被施術者の下まつげを目の下側につけた状態を示す側面図，
【図６】テープで被施術者の上まつげを目蓋側につけた状態を示す平面図，
【図７】テープで被施術者の上まつげを目蓋側につけた状態を示す側面図，
【図８】目蓋側につけてある上まつげのうち，ベース層をなす上まつげを抜き出して立てた状態を示す平面図，
【図９】目蓋側につけてある上まつげのうち，ベース層をなす上まつげを抜き出して立てた状態を示す側面図，
【図１０】立てられたベース層をなす上まつげに人工まつげを接着する過程を示す平面図，
【図１１】立てられたベース層をなす上まつげに人工まつげを接着する過程を示す側面図，
【図１２】（ａ）は人工まつげの接着時に用いられる拡開手段の斜視図，及び（ｂ）は，これを適用して隣接した上まつげとの間隔を広げた後，処理する過程を示す平面図，
【図１３】目尻から眼の内側までに領域を分け，異なる長さの人工まつげをつける場合の一例を示す構成図，
【図１４】人工まつげを全てつけたベース層をなす上まつげの上にテープを載せて区分する状態を示す側面図，
【図１５】目蓋側につけてある上まつげのうち，２層目をなす上まつげを抜き出して立てた状態を示す側面図，
【図１６】立てられた２層目をなす上まつげに人工まつげを接着する過程を示す側面図，
【図１７】（ａ）及び（ｂ）は人工まつげを全てつけた２層目をなす上まつげの上にテープを載せて区分する状態の二つの手段を示す，
【図１８】（ａ）及び（ｂ）は目蓋側につけてあったテープを除去し，残りの３層目をなす上まつげを立てた状態を示す側面図，
【図１９】（ａ）及び（ｂ）は立てられた３層目をなす上まつげに人工まつげを接着する過程を示す側面図，
【図２０】本発明の一実施例によるまつげ矯正方法の過程を示すフローチャートである。
【発明を実施するための形態】
【００２７】
以下，添付した図面に基づき，本発明の好適な実施例について詳述する。しかし，本発明は，ここで説明される実施例に限定されず，他の形態に具体化されてもよい。かえって，ここで紹介される実施例は，開示された内容が徹底かつ完全になるように，また，当業者に本発明の思想が充分に伝達されるようにするために提供されるものである。明細書の全般にわたって同一の参照符号は，同一の構成要素を示す。
【００２８】
図１及び図２は，施術前の被施術者が目を閉じた状態における上まつげと下まつげを示す平面図及び側面図であり，図３は，人工まつげと上まつげの基部のみが接着されて広げられる場合を示す説明図であり，図４及び図５は，テープで被施術者の下まつげを目の下側につけた状態を示す平面図及び側面図である。図６及び図７は，テープで被施術者の上まつげを目蓋側につけた状態を示す平面図及び側面図であり，図８及び図９は，目蓋側につけてある上まつげのうち，ベース層をなす上まつげを抜き出して立てた状態を示す平面図及び側面図であり，図１０及び図１１は，立てられたベース層をなす上まつげに人工まつげを接着する過程を示す平面図及び側面図である。図１２は，人工まつげの接着時に用いられる拡開手段，及びこれを適用して隣接した上まつげとの間隔を広げた後，処理する過程を示す斜視図と平面図であり，図１３は，目尻から眼の内側までに領域を分け，異なる長さの人工まつげをつける場合の一例を示す構成図であり，図１４は，人工まつげを全てつけたベース層をなす上まつげの上にテープを載せて区分する状態を示す側面図である。図１５は，目蓋側につけてある上まつげのうち，２層目をなす上まつげを抜き出して立てた状態を示す側面図であり，図１６は，立てられた２層目をなす上まつげに人工まつげを接着する過程を示す側面図であり，図１７は，人工まつげを全てつけた２層目をなす上まつげの上にテープを載せて区分する状態の二つの場合を示す側面図である。図１８は，目蓋側につけてあったテープを除去し，残りの３層目をなす上まつげを立てた状態を示す側面図であり，図１９は，立てられた３層目をなす上まつげに人工まつげを接着する過程を示す側面図であり，図２０は，本発明の一実施例によるまつげ矯正方法の過程を示す流れ図である。
【００２９】
図１乃至図２０を参照すると，本発明の一実施例によるまつげ矯正方法は，大きく，少なくとも一つのテープ５０で下まつげ４０を目の下側に固定してつける段階と，少なくとも一つのテープ５０で上まつげ３０の全部を目蓋１０側につける段階と，目蓋１０の端部の粘膜２０側に出たベース層をなす上まつげ３２（以下，「ベース層の上まつげ」という）を前記テープ５０から抜き出して立てる段階と，前記立てられたそれぞれのベース層の上まつげ３２に人工まつげ６０をつける段階と，前記ベース層以外の上まつげの少なくとも一部を，前記テープ５０から抜き出して人工まつげ６０をつける段階と，を含んでなる。
【００３０】
先ず，被施術者が寝た状態で目を閉じる。上述のように，東洋人のまつげは，概ね直毛からなり，図１及び図２に示すように，目を閉じると，上まつげ３０が下方に垂れるようになる。
【００３１】
既存のように，この状態で人工まつげ６０をつけた場合は，接着される長さを長くし難いため，図３に示すように，人工まつげ６０が上まつげ３０の基部にのみ接着するようになり，上部に行くほど，互いに広げられるようになるという問題点があった。
【００３２】
したがって，本発明の一実施例によるまつげ矯正方法は，このような問題を解決するための解決手段を提示する。
【００３３】
図４及び図５に示すように，先ず，少なくとも一つ以上のテープ５０を用いて，下まつげ４０の全部を目の下側に固定してつけるが（Ｓ１０），これは，以降の施術において，下まつげ４０が妨害とならないように整理するためのものである。
【００３４】
また，図６及び図７に示すように，上まつげ３０の全部を少なくとも一つ以上のテープ５０を用いて，目蓋１０側につける（Ｓ２０）。この際，用いられるテープ５０は，接着力が強くはないが，再度，元に戻ろうとする上まつげ３０を目蓋１０側に押さえておく程度の接着力を発揮する。
【００３５】
上まつげ３０の全部を目蓋１０側につけた以降は，図８及び図９に示すように，ピンセット等の道具を用いて，上まつげ３０の一部をテープ５０の外に抜け出して立てる（Ｓ３０）。上述したように，テープ５０の接着力は強くないので，テープ５０と目蓋１０との間につけてある上まつげ３０を剥がすことは難しいことではない。
【００３６】
このようにテープ５０と目蓋１０の間から抜き出した上まつげ３０は，目蓋１０側，すなわち，上方につけてあった慣性のため，目の下側に垂れず，上方に垂直に立てるようになる。被施術者は，現在，寝た状態であるので，前記上まつげ３０は，直上方に向かい，この状態では，施術者が，人工まつげ６０を，長くて広い面積が上まつげ３０に当たるように接着させる処理を容易に行うことができる。
【００３７】
ここで，前記上まつげ３０を立てるために，目蓋１０側に長い間つけておく必要はなく，上まつげ３０をつけた後，しばらくして抜け出しても，上まつげ３０が上方に立てられた状態を維持することができる。
【００３８】
図１０及び図１１に示すように，上まつげ３０を立てた状態で施術しながら，人工まつげ６０が当たる面積を大きくして接着させると，人工まつげ６０と上まつげ３０との広がりを最少化することができるので，まつげのもつれと牽引性脱毛を防止することができ，人工まつげ６０が長時間ついているので，美容効果を長時間維持することができ，人工まつげ６０が接着された状態でも，異物感が感じられないので，着用感を向上させることができる。
【００３９】
この際，前記人工まつげ６０をつけるとき，ベース層の上まつげ３２の基部から上部まで，全部または少なくとも６０％以上が人工まつげ６０と当接するように接着することが好ましい。これは，長期間の施術経験上，人工まつげ６０と上まつげ３０が最小６０％以上当接して接着すると，もつれや牽引性脱毛が発生しないという事実に基づいた数値である。
【００４０】
本発明によるまつげ矯正方法は，上まつげ３０と人工まつげ６０が互いに当接した面積を最大として一つに一致させるものであるが，最小６０％以上のみつけても，同じ施術効果が得られる。
【００４１】
一方，テープ５０から剥がす上まつげ３０は，上述のように，ベース層の上まつげ３２である。人間の上まつげ３０は，一列に生えているのではなく，概ね，所定の層をなして生えるが，一般に，目蓋１０の端部の粘膜２０側からベース層（１層），２層目，及び３層目をなして出る。人によっては，目尻側に４層をなす上まつげ３０が生えることもある。
【００４２】
既存の方法のように，上まつげ３０が数列生えているものを，上列，下列の基準無しにどこからでも上まつげ３０を施術するものではなく，本発明によるまつげ矯正方法は，このような上まつげ３０のうち，ベース層の上まつげ３２を先ず抜き出して人工まつげ６０を接着する処理を進行する（Ｓ４０）。
【００４３】
このようにベース層の上まつげ３２に先ず人工まつげ６０を接着させてから，その次の層に属する上まつげ３０に順次に処理を進行すると，施術後のもつれを防止し，自然な雰囲気を作り出すことができる。
【００４４】
また，ベース層の施術が基準となるので，その後，２層目，３層目を施術するにあたって，多様な長さとカールの人工まつげ６０を適用し，多様な雰囲気を作り出すことができるので，顧客の趣向に合うオーダーメイドの施術が可能であるという長所がある。
【００４５】
一方，図１２に示すように，前記人工まつげ６０をつけるとき，拡開手段７０を用いて接着対象である上まつげ３０と隣接した上まつげ３０との間を広げた後，人工まつげ６０を接着させることができる。
【００４６】
前記拡開手段７０は，図１２に示すように，所定の長さを有する棒状となしてもよい。このような棒状の部材を拡開手段７０に適用すると，接着対象の上まつげ３０と隣接した上まつげ３０を確実に区分する(エッグ)カートンないしコンパートメント効果を発揮し，施術者が接着対象である上まつげに集中することができるので，処理効率を高め，事故を防止できるという長所がある。
【００４７】
したがって，ようじのような細棒状物やピンセットよりも，図１２に示す板状の棒状拡開手段７０を適用することがさらに好ましい。
【００４８】
また，前記拡開手段７０を用いて上まつげ３０との間を広げた後，人工まつげ６０の接着処理を行うと，隣接した上まつげ３０により接着処理が干渉されないため，処理時間が短縮され，人工まつげ６０を正確につけることができるので，処理の正確性と効率性を高めることができる。
【００４９】
一方，前記ベース層の上まつげ３２に人工まつげ６０をつけるとき，ベース層の上まつげ３２が属する領域により，異なる長さの人工まつげ６０をつけることができる。すなわち，目尻から目の内側まで領域を分け，中央部には相対的に長い人工まつげ６０をつけ，目尻と目の内側に行くほど，相対的に短い人工まつげ６０をつけることができる。
【００５０】
現在，市販されている人工まつげ６０の長さは，５mm乃至１９mmであり，各１mm毎に製品があり，このうち，８mm乃至１２mmの人工まつげ６０が主に用いられる。したがって，通常，多用される前記８mm乃至１２mmの人工まつげ６０を用いる場合，図１３のように，領域を分け，異なる長さの人工まつげ６０を適用することができる。
【００５１】
例えば，中央部であるａ領域は，１２mmの人工まつげ６０をつけ，その両側のｂ領域は１１mm，ｃ領域は１０mm，ｄ領域は９mm，また目尻と目の内側部分であるｅ領域は８mmをつけることができる。
【００５２】
もちろん，上述した実施例に限定されず，分けられる領域の数と当該領域に適用される人工まつげ６０の長さは，被施術者の目の大きさやまつげの長さまたは毛の多少等により，多様に変形して実施することが可能である。
【００５３】
このように画一的に同じ長さの人工まつげ６０を適用するものではなく，領域を分けて異なる長さの人工まつげ６０をつけることにより，三日月のような元の自然なまつげの形状を作り出すことができるので，さらに自然な雰囲気で美容効果を向上させることができる。また，さらには，多様なカールを有する人工まつげ６０を適用して多様な雰囲気を作り出すこともできる。
【００５４】
従来，テープ５０を用いて上まつげ３０を任意に，すなわち，ランダムに分け，人工まつげ６０をつける処理を行ったので，本発明のように，領域により，自然に人工まつげ６０の長さを異にしてつけることができなかった。
【００５５】
しかしながら，本発明は，上まつげ３０を基部の位置により，層別に分けて処理しながら，さらには，領域により異なる長さの人工まつげ６０を適用可能であるので，従来より，自然な美容効果を発揮することはもとより，施術処理の効率性の向上までも図ることができる。
【００５６】
前記ベース層の上まつげ３２に人工まつげをつける処理が完了すると，図１４に示すように，完了したベース層の上まつげ３２の上にテープ５０を載せる（Ｓ５０）。これは，以後の処理において残りの上まつげ３０と混ぜないように区分するためのものであり，前記テープ５０は，しおりのように，処理済みの上まつげ３０と未だ処理していない上まつげ３０を区分する作用をする。
【００５７】
前記テープ５０は，接着性があるので，処理が完了したベース層の上まつげ３２上に載せたのみでも，固定された状態を維持することができる。
【００５８】
次いで，図１５に示すように，ベース層の真上に２層目をなす上まつげ３４（以下，「２層目の上まつげ」という）を，前記テープ５０から抜き出して立てる（Ｓ６０）。
【００５９】
前記２層目の上まつげ３４は，前記ベース層の上まつげ３２のように，上側につけてあった慣性のため，目の下側にたれずに，上方に垂直に立つようになる。すなわち，被施術者は，現在，寝た状態であるので，前記２層目の上まつげ３４は，直上方に向かうようになる。
【００６０】
また，図１６に示すように，立てられた２層目の上まつげ３４に人工まつげ６０をつける処理を行う（Ｓ７０）。前記２層目の上まつげ３４は，上方に垂直に立っている状態であるので，施術者が，人工まつげ６０を，長くて広い面積が２層目の上まつげ３４に当たるように接着させる処理を容易に行うことができる。
【００６１】
この際，図１２において説明した拡開手段７０が同様に用いられてもよく，図１３において説明したように，領域により異なる長さの人工まつげ６０をつけ，または多様なカールを有する人工まつげ６０を適用して，多様な雰囲気を作り出すことも同様に適用可能である。
【００６２】
前記２層目の上まつげ３４に人工まつげ６０を接着させた後，施術を仕上げてもよい。この場合，通常，上まつげ３０のうち，６０％程度を施術するようになるので，「６０％施術」とも称する。
【００６３】
さらに強い目つきを所望する被施術者については，残りの３層目をなす上まつげ３６（以下，「３層目の上まつげ」という）を対象としても追加の処理を行う。
【００６４】
具体的に，処理が終わった２層目の上まつげ３４の上に前記テープ５０を載せるが（Ｓ８０），この際，二つの方式が適用され得る。
【００６５】
第一の手段は，図１７（ａ）に示すように，処理が終わったベース層の上まつげ３２の上に載せたテープ５０はそのままにしておき，処理の終わった２層目の上まつげ３４の上に新たなテープ５０を載せて，別々に区分することである。
【００６６】
第二の手段は，図１７（ｂ）に示すように，処理が終わったベース層の上まつげ３２の上に載せたテープ５０をしばらく剥がし，処理の終わった２層目の上まつげ３４とベース層の上まつげ３２を合わせた後，その上にテープ５０を載せることである。
【００６７】
いずれの手段を適用してもよく，以後は，図１８に示すように，残りの目蓋１０側につけてあるテープ５０を除去し，残りの３層目の上まつげ３６を全て立て（Ｓ９０），図１９に示すように，人工まつげ６０を付着する処理を仕上げる（Ｓ１００）。
【００６８】
この場合，通常，上まつげ３０の全部を施術するので，「１００％施術」とも称する。人により，両側に４列にまつげが出ることもあるが，大部分の場合，３層目の上まつげ３６まで処理すると，ほぼ１００％施術が適用されるからである。
【００６９】
３層目の上まつげ３６を施術する場合も，上述した拡開手段７０が同様に用いられ，領域により異なる長さの人工まつげ６０をつけ，または多様なカールを有する人工まつげ６０を適用して，多様な雰囲気を作り出すことも同様に適用可能である。
【００７０】
以上，説明した本発明の実施例によるまつげ矯正方法によると，まつげが損傷しまたは抜ける現象を防止し，美容効果を，従来よりも２倍以上に長時間維持することができ，施術後，異物感がなく，延長されたまつげがもつれずに，着用感と美容効果を向上させることができる。
【００７１】
また，被施術者のまつげを垂直に立てた状態で，人工まつげを接着し，人工まつげとまつげが接着される長さを大きくするのみならず，施術を容易に行い，施術時間を減らし，まつげを層別に分けて人工まつげをつけることにより，被施術者のまつげに適合したオーダーメイドの施術が可能であり，多様な美容効果を作り出すことができる。
【００７２】
また，人工まつげの接着時，拡開手段を用いることにより，それぞれのまつげの接着を容易にし，施術時間を減らすことができる。
【００７３】
以上，本発明の一実施例を参照して説明したが，当該技術の分野における当業者は，後述する特許請求の範囲に記載された本発明の思想及び領域から逸脱しない範囲内で，本発明を多様に修正及び変更実施することができるものである。そのため，変形された実施が基本的に本発明の特許請求の範囲の構成要素を含めれば，全て本発明の技術的な範疇に含まれるとみなさなければならない。
【符号の説明】
【００７４】
１０    目蓋
２０    粘膜
３０    上まつげ
３２    ベース層の上まつげ
３４    ２層目の上まつげ
３６    ３層目の上まつげ
４０    下まつげ
５０    テープ
６０    人工まつげ
７０    拡開手段
【要約】
【課題】まつげが損傷しまたは抜ける現象を防止し，美容効果を長時間維持し，施術後，異物感がなく，延長されたまつげがもつれなく，着用感と美容効果を向上させる。また，人工まつげとまつげが接着される長さを大きくするのみならず，施術を容易かつ短時間にし，被施術者のまつげに適合したオーダーメイドの施術を可能とする。
【解決手段】少なくとも一つのテープで下まつげを目の下側に固定し，少なくとも一つのテープで上まつげの全部を目蓋側につけ，目蓋の端部の粘膜側から出たベース層をなす上まつげを前記テープから抜き出して立てる各段階と，前記立てられたベース層をなすそれぞれの上まつげに人工まつげをつけ，前記ベース層以外の上まつげの少なくとも一部を，前記テープから抜き出して人工まつげをつける段階とから成るまつげ矯正方法。
【選択図】図２０【図１】
0005597760.tif 000002
【図２】
0005597760.tif 000003
【図３】
0005597760.tif 000004
【図４】
0005597760.tif 000005
【図５】
0005597760.tif 000006
【図６】
0005597760.tif 000007
【図７】
0005597760.tif 000008
【図８】
0005597760.tif 000009
【図９】
0005597760.tif 000010
【図１０】
0005597760.tif 000011
【図１１】
0005597760.tif 000012
【図１２】
0005597760.tif 000013
【図１３】
0005597760.tif 000014
【図１４】
0005597760.tif 000015
【図１５】
0005597760.tif 000016
【図１６】
0005597760.tif 000017
【図１７】
0005597760.tif 000018
【図１８】
0005597760.tif 000019
【図１９】
0005597760.tif 000020
【図２０】
0005597760.tif 000021